(57)【要約】【課題】簡単な少ない操作指示で、電子原稿に挿入済みのイメージオブジェクトのレイアウト情報に合致するように差し替え指示されているイメージオブジェクトを違和感なく差し替え編集することである。【解決手段】イメージオブジェクトのページと電子データのページとを組み合わせてブック属性に従う電子原稿を作成可能なコンピュータ１００において、電子原稿に挿入されているイメージオブジェクトを差し替えるイメージオブジェクトを電子原稿ファイル１０３に記憶されているイメージオブジェクト群から指定した場合に、製本アプリケーション１０４の原稿編集機能により電子原稿に挿入されているイメージオブジェクトのレイアウト情報を、該指定される差し替えイメージオブジェクトのレイアウト情報に承継させて差し替え挿入する構成を特徴とする。【選択図】図１
2006107038.tif 000002
【特許請求の範囲】
【請求項１】
イメージオブジェクトのページと電子データのページとを組み合わせてブック属性に従う電子原稿を作成可能な情報処理装置であって、
前記イメージオブジェクトを記憶する記憶手段と、
前記電子原稿に挿入されているイメージオブジェクトを差し替えるイメージオブジェクトを前記記憶手段に記憶されているイメージオブジェクト群から指定する指定手段と、
前記電子原稿に挿入されているイメージオブジェクトのレイアウト情報を、前記指定手段により指定される差し替えイメージオブジェクトのレイアウト情報に承継させて差し替え挿入する原稿編集手段と、
を有することを特徴とする情報処理装置。
【請求項２】
イメージオブジェクトは、スキャナ入力されるイメージデータ、撮影されるイメージデータ等を含むことを特徴とする請求項１記載の情報処理装置。
【請求項３】
前記原稿編集手段により編集されたページに対して印刷装置で設定可能な印刷製本機能を指示する指示手段と、
前記指示手段により指示される印刷製本機能設定が付加される印刷情報を前記印刷装置に出力する出力手段と、
を有することを特徴とする請求項１記載の情報処理装置。
【請求項４】
前記原稿編集手段により承継されるレイアウト情報は、イメージオブジェクトの位置、イメージオブジェクトのサイズを含むことを特徴とする請求項１記載の情報処理装置。
【請求項５】
イメージオブジェクトを記憶する記憶手段を備え、前記イメージオブジェクトのページと電子データのページとを組み合わせてブック属性に従う電子原稿を作成可能な情報処理装置における原稿編集方法であって、
前記電子原稿に挿入されているイメージオブジェクトを差し替えるイメージオブジェクトを前記記憶手段に記憶されているイメージオブジェクト群から指定する指定ステップと、
前記電子原稿に挿入されているイメージオブジェクトのレイアウト情報を、前記指定ステップにより指定される差し替えイメージオブジェクトのレイアウト情報に承継させて差し替え挿入する原稿編集ステップと、
を有することを特徴とする原稿編集方法。
【請求項６】
イメージオブジェクトは、スキャナ入力されるイメージデータ、撮影されるイメージデータ等を含むことを特徴とする請求項５記載の原稿編集方法。
【請求項７】
前記原稿編集ステップにより編集されたページに対して印刷装置で設定可能な印刷製本機能を指示する指示ステップと、
前記指示ステップにより指示される印刷製本機能設定が付加される印刷情報を前記印刷装置に出力する出力ステップと、
を有することを特徴とする請求項５記載の原稿編集方法。
【請求項８】
前記原稿編集ステップにより承継されるレイアウト情報は、イメージオブジェクトの位置、イメージオブジェクトのサイズを含むことを特徴とする請求項５記載の原稿編集方法。
【請求項９】
請求項５〜８のいずれかに記載の原稿編集方法を実行させるためのプログラムを格納したことを特徴とするコンピュータが読み取り可能な記憶媒体。
【請求項１０】
請求項５〜８のいずれかに記載の原稿編集方法を実行させることを特徴とするプログラム。
【発明の詳細な説明】
【技術分野】
【０００１】
本発明は、イメージオブジェクトのページと電子データのページとを組み合わせてブック属性に従う電子原稿を作成可能な情報処理装置および原稿編集方法およびコンピュータが読み取り可能なプログラムを格納した記憶媒体およびプログラムに関するものである。
【背景技術】
【０００２】
従来、紙の文書をスキャナで読み取り、読み取った画像データを画像編集手段で修正加工し、両面やステイプル、パンチ穴等の加工指示を付加して印刷装置より出力することが一般的に行われている。
【０００３】
また、データ処理装置（ＰＣ）上のアプリケーションソフトウェアで作成した文書データを、作成したアプリケーションに依存しない電子データに変換し、両面やステイプル、パンチ穴等の加工指示を付加して印刷装置より出力することが一般的に行われている。
【０００４】
さらに、画像データのページと電子データのページを組み合わせてブック属性に従う電子原稿として保存し、両面やステイプル、パンチ穴等の加工指示を付加して印刷装置より出力することも行われている。
【０００５】
複数のアプリケーションソフトウェアで作成した文書データを、独自形式の電子フォーマットに変換し、描画されているデータを編集する技術は、下記特許文献１に開示されているように一般的に行われている。
【特許文献１】特開平０２−０９０３６６号公報
【発明の開示】
【発明が解決しようとする課題】
【０００６】
しかしながら、上述した従来の技術では、イメージオブジェクトの差し替えを実行するために、イメージオブジェクトの削除、そしてイメージオブジェクトの新規作成という２つのステップを実行する必要があり、ユーザによる操作負担を強いる結果となっていた。
【０００７】
また、従来の技術では、差し替え前と差し替え後のイメージオブジェクトの位置を合わせるためには、差し替え前の場所をマークしておく必要があった。さらに、差し替え前のイメージオブジェクトのサイズと差し替え後のイメージオブジェクトのサイズが異なる場合は、差し替え後にサイズの調整が必要となり、ユーザによる操作負担を強いる結果となっていた。
【０００８】
本発明は、上記の課題を解決するためになされたもので、本発明の目的は、前記イメージオブジェクトのページと電子データのページとを組み合わせてブック属性に従う電子原稿を作成可能な情報処理装置において、電子原稿に挿入されているイメージオブジェクトを差し替えるイメージオブジェクトを記憶されているイメージオブジェクト群から指定した場合に、電子原稿に挿入されているイメージオブジェクトのレイアウト情報を、該指定される差し替えイメージオブジェクトのレイアウト情報に承継させて差し替え挿入することにより、簡単な少ない操作指示で、電子原稿に挿入済みのイメージオブジェクトのレイアウト情報に合致するように差し替え指示されているイメージオブジェクトを違和感なく差し替え編集できる利便性と操作性に優れた電子原稿編集処理を効率よく行える情報処理装置および原稿編集方法およびコンピュータが読み取り可能なプログラムを格納した記憶媒体およびプログラムを提供することである。
【課題を解決するための手段】
【０００９】
上記目的を達成する本発明の情報処理装置は以下に示す構成を備える。
【００１０】
イメージオブジェクトのページと電子データのページとを組み合わせてブック属性に従う電子原稿を作成可能な情報処理装置であって、前記イメージオブジェクトを記憶する記憶手段と、前記電子原稿に挿入されているイメージオブジェクトを差し替えるイメージオブジェクトを前記記憶手段に記憶されているイメージオブジェクト群から指定する指定手段と、前記電子原稿に挿入されているイメージオブジェクトのレイアウト情報を、前記指定手段に指定される差し替えイメージオブジェクトのレイアウト情報に承継させて差し替え挿入する原稿編集手段とを有することを特徴とする。
【００１１】
上記目的を達成する本発明の原稿編集方法は以下に示す構成を備える。
【００１２】
イメージオブジェクトを記憶する記憶手段を備え、前記イメージオブジェクトのページと電子データのページとを組み合わせてブック属性に従う電子原稿を作成可能な情報処理装置における原稿編集方法であって、前記電子原稿に挿入されているイメージオブジェクトを差し替えるイメージオブジェクトを前記記憶手段に記憶されているイメージオブジェクト群から指定する指定ステップと、前記電子原稿に挿入されているイメージオブジェクトのレイアウト情報を、指定される差し替えイメージオブジェクトのレイアウト情報に承継させて差し替え挿入する原稿編集ステップとを有することを特徴とする。
【発明の効果】
【００１３】
本発明によれば、簡単な少ない操作指示で、電子原稿に挿入済みのイメージオブジェクトのレイアウト情報に合致するように差し替え指示されているイメージオブジェクトを違和感なく差し替え編集できる利便性と操作性に優れた電子原稿編集処理を効率よく行えるという効果を奏する。
【発明を実施するための最良の形態】
【００１４】
次に本発明を実施するための最良の形態について図面を参照して説明する。
【００１５】
＜システム構成の説明＞
〔第１実施形態〕
図１は、本発明の第１実施形態を示す情報処理装置を適用可能な文書処理システムのソフトウエア構成を示す図である。なお、本発明に係る情報処理装置を適用可能な文書処理システムは、一般のアプリケーションによって作成されたデータファイルを電子原稿ファイルに変換する電子原稿ライタと、その電子原稿ファイルを編集する機能を提供する製本アプリケーションとを含み、作成されたデータを一まとめにした文書の作成及び編集を可能とし、その操作性を向上させて文書編集を効率的に行えるものである。
【００１６】
図１において、文書処理システムは、情報処理装置に好適な実施形態であるコンピュータ装置（以下、ホストコンピュータとも呼ぶ）１００によって実現されている。
【００１７】
１０１は一般アプリケーションで、ワードプロセシングやスプレッドシート、フォトレタッチ、ドロー、あるいはペイント、プレゼンテーション、テキスト編集などの機能を提供するアプリケーションプログラムであり、ＯＳに対する印刷機能を有している。なお、ＯＳ、一般アプリケーション１０１は、ハードディスク等の外部記憶装置に記憶され、ＯＳがＲＡＭ上にロードされた後、アプリケーション起動要求を検出して、一般アプリケーション１０１がＲＡＭにロードされて実行されることで各種のプログラムが実行される。
【００１８】
これらの一般アプリケーション１０１は、作成された文書データや画像データなどのアプリケーションデータを印刷する際に、オペレーティングシステム（ＯＳ）によって提供される所定のインタフェース（一般に、ＧＤＩと呼ばれる）を利用する。
【００１９】
即ち、アプリケーション１０１は、作成したデータを印刷するために、上述のインタフェースを提供するＯＳの出力モジュールに対して、あらかじめ定められる、ＯＳに依存する形式の出力コマンド（ＧＤＩ関数と呼ばれる）を送信する。
【００２０】
一方、出力コマンドを受けた出力モジュールは、その出力コマンドをプリンタ等の出力デバイスが処理可能な形式に変換して、変換されたコマンド（ＤＤＩ関数と呼ばれる）を出力する。出力デバイスが処理可能な形式はデバイスの種類やメーカ、機種などによって異なるため、デバイスごとにデバイスドライバが提供されており、ＯＳではそのデバイスドライバを利用してコマンドの変換を行い、印刷データを生成し、ＪＬ（Ｊｏｂ  Ｌａｎｇｕａｇｅ）でくくることにより印刷ジョブが生成される。
【００２１】
ＯＳとしてマイクロソフト社のウインドウズ（登録商標）を利用する場合には、前述した出力モジュールとしてはＧＤＩ（Ｇｒａｐｈｉｃ  Ｄｅｖｉｃｅ  Ｉｎｔｅｒｆａｃｅ）と呼ばれるモジュールが相当する。
【００２２】
１０２は電子原稿ライタで上述のデバイスドライバを改良したものであり、本文書処理システム実現のために提供されるソフトウェアモジュールである。
【００２３】
但し、電子原稿ライタ１０２は特定の出力デバイスを目的としておらず、詳細は後述する製本アプリケーション１０４やプリンタドライバ１０６により処理可能な形式に出力コマンドを変換する。
【００２４】
この電子原稿ライタ１０２による変換後の形式（以後電子原稿形式と呼ぶ）は、ページ単位の原稿を詳細な書式をもって表現可能であれば特に問わない。実質的な標準形式のうち、例えばアドビシステムズによるＰＤＦ形式やＳＶＧ形式などが電子原稿形式として採用できる。
【００２５】
一般アプリケーション１０１から電子原稿ライタ１０２を利用させる場合には、出力に使用するデバイスドライバとして電子原稿ライタ１０２を指定してから印刷を実行させる。
【００２６】
但し、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。
【００２７】
そして、製本アプリケーション１０４は電子原稿ライタ１０２が生成した新規の不完全な電子原稿ファイルを後述する形式を備えた電子原稿ファイル１０３として完成させる。
【００２８】
以下、この点を明瞭に識別する必要がある場合、電子原稿ライタ１０２によって作成されたファイルを「電子原稿ファイル」と呼び、製本アプリケーション１０４によって構造を与えられた電子原稿ファイルを「ブックファイル」と呼ぶ。
【００２９】
また、特に区別する必要がない場合は、アプリケーションにより生成されるドキュメントファイル、電子原稿ファイル、及びブックファイルをいずれも文書ファイル（または文書データ）と呼ぶ。
【００３０】
このようにデバイスドライバとして電子原稿ライタ１０２を指定し、一般アプリケーション１０１によりデータを印刷させることで、アプリケーションデータはアプリケーション１０１によって定義されたページ（以後論理ページあるいは原稿ページと呼ぶ）を単位とする電子原稿形式に変換され、電子原稿ファイル１０３としてハードディスクなどの記憶媒体に格納される。
【００３１】
尚、ハードディスクは、本実施形態の文書処理システムを実現するコンピュータが備えているローカルドライブであっても良く、ネットワークに接続されている場合にはネットワーク上に提供されるドライブであっても良い。
【００３２】
１０４は製本アプリケーションで、上記電子原稿ファイル（あるいはブックファイル）１０３を読み込み、それを編集するための機能を利用者に提供する。
【００３３】
但し、製本アプリケーション１０４は、各ページの内容を編集する機能は提供しておらず、ページを最小単位として構成される、後述する章やブックの構造を編集するための機能を提供している。
【００３４】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーション１０４と共にコンピュータ１００内にインストールされるプログラムモジュールであり、製本アプリケーション１０４で利用するドキュメント（ブックファイル）を印刷する際に、プリンタドライバ１０６へ描画データを出力するために使用されるモジュールである。
【００３５】
１０５は電子原稿デスプーラで、指定されたブックファイルをハードディスクから読み出し、ブックファイルに記述された形式で各ページを印刷するために、前述したＯＳの出力モジュールに適合する出力コマンドを生成し、不図示の出力モジュールに出力する。
【００３６】
その際に、出力デバイスとして使用されるプリンタ１０７用のプリンタドライバ１０６がデバイスドライバとして指定される。上述の出力モジュールは、受信した出力コマンドをデバイスコマンドに変換して指定されたプリンタ１０７用のプリンタドライバ１０６に出力し、そのプリンタドライバ１０６がプリンタ１０７で解釈実行可能なページ記述言語等のコマンドに変換する。
【００３７】
そして、変換されたコマンドはプリンタドライバ１０６から不図示のシステムスプーラを介してプリンタ１０７に送信され、プリンタ１０７によってコマンドに応じた画像が印刷される。
【００３８】
図２は、図１に示したコンピュータ１００のハードウェア構成の一例を説明するブロック図であり、図１と同一のものには同一の符号を付してある。
【００３９】
図２において、２０１はＣＰＵで、ＲＯＭ２０３のプログラム用ＲＯＭに記憶された、あるいはハードディスク２１１からＲＡＭ２０２にロードされたＯＳや一般アプリケーション、製本アプリケーションなどのプログラムを実行し、図１のソフトウエア構成や、後述するフローチャートの手順を実現する。
【００４０】
２０２はＲＡＭで、ＣＰＵ２０１の主メモリ、ワークエリア等として機能する。２０５はキーボードコントローラ（ＫＢＣ）で、キーボード（ＫＢ）２０９や不図示のポインティングデバイスからのキー入力を制御する。２０６はＣＲＴコントローラ（ＣＲＴＣ）で、ＣＲＴディスプレイ２１０の表示を制御する。
【００４１】
２０７はディスクコントローラ（ＤＫＣ）で、ブートプログラム、種々のアプリケーション、フォントデータ、ユーザファイル、後述する編集ファイル等を記憶するハードディスク（ＨＤ）２１１やフレキシブルディスク（ＦＤ）等とのアクセスを制御する。
【００４２】
２０８はＰＲＴＣで、接続されたプリンタ１０７との間の信号の交換を制御する。ＮＣ２１２はネットワークに接続されて、ネットワークに接続された他の機器との通信制御処理を実行する。
【００４３】
＜電子原稿データの形式＞
編集アプリケーション１０４の詳細を言及する前に、ブックファイルのデータ形式について説明する。ブックファイルは紙媒体の書物を模倣した３層の層構造を有する。
【００４４】
まず、上位層は「ブック」と呼ばれ、１冊の本を模倣しており、その本全般に係る属性が定義されている。その下の中間層は、本でいう章に相当し、やはり「章」と呼ばれる。各章についても、章毎の属性が定義できる。そして、下位層は「ページ」であり、アプリケーションプログラムで定義された各ページに相当する。尚、各ページについてもページ毎の属性が定義できる。更に、一つのブックは複数の章を含んでいてもよく、また一つの章は複数のページを含むこともできる。
【００４５】
図３は、本発明に係る情報処理装置で処理可能なブックファイルの形式を模式的に説明する図であり、（Ａ）は、ブックファイルの形式の一例に対応し、（Ｂ）は原稿データの一例に対応する。
【００４６】
なお、本実施形態では、ブックファイルにおけるブック，章，ページは、それぞれに相当するノードにより示されている。一つのブックファイルは一つのブックを含む。
【００４７】
ブック，章は、ブックとしての構造を定義するための概念であるから、定義された属性値と下位層へのリンクとをその実体として含む。ページは、アプリケーションプログラムによって出力されたページ毎のデータを実体として有する。そのため、ページは、その属性値のほかに、原稿ページの実体（原稿データ）と各原稿データへのリンクを含む。
【００４８】
なお、紙媒体等に出力する際の印刷ページは複数の原稿ページを含む場合がある。この構造に関してはリンクによって表示されず、ブック、章、ページ各階層における属性として表示される。
【００４９】
図３の（Ａ）において、ブック属性３０１には、ブック属性が定義されていると共に、２つの章３０２Ａ，３０２Ｂがリンクされている。このリンクにより、章３０２Ａ，３０２Ｂがブック属性３０１に包含されていることが表示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿データ（１）、（２）へのリンクが含まれる。これらリンクは、図３に示す（Ｂ）のように原稿データ３０４のデータ（１），（２）を指し示し、ページ３０３Ａ、３０３Ｂの実体が原稿ページデータ（１），（２）であることを表示している。
【００５０】
図４は、図３に示したブック属性３０１のリスト例を示す図である。
【００５１】
本実施形態では、下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。
【００５２】
なお、図示された各項目は具体的に１項目に対応するのではなく、関連する複数の項目を含むものもある。
【００５３】
図５は、図３に示した章属性のリスト例を示す図であり、図６は、図３に示したページ属性３０３Ａ〜３０３Ｄのリスト例を示す図である。なお、章属性とページ属性との関係もブック属性と下位層の属性との関係と同様である。
【００５４】
図４〜図６から明らかなように、ブック属性に固有の項目は、印刷方法、製本詳細、表紙／裏表紙、インデックス紙、合紙、章区切りの６項目である。これらはブックを通して定義される項目である。印刷方法の属性としては、片面印刷、両面印刷、製本印刷の３つの値を指定できる。
【００５５】
ここで、製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００５６】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。
【００５７】
この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００５８】
合紙属性は、章の区切りとして、インサータから、あるいは給紙カセットから供給される用紙の挿入の指定、及び合紙を挿入する場合には、給紙元の指定などを含む。
【００５９】
章区切り属性は、章の区切り目において、新たな用紙を使用するか、新たな印刷ページを使用するか、特に何もしないか等の指定を含む。片面印刷時には、新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００６０】
章属性に関しては、章に固有の項目はなく、全てブック属性と重複する。従って、章属性における定義とブック属性における定義とが異なれば、章属性で定義された値が優先する。
【００６１】
ブック属性と章属性とにのみ共通する項目は、用紙サイズ、用紙方向、Ｎ−ｕｐ印刷指定、拡大縮小、排紙方法の５項目である。これらのうち、Ｎ−ｕｐ印刷指定属性は１印刷ページに含まれる原稿ページ数を指定するための項目である。指定可能な配置としては、１×１、１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００６２】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。
【００６３】
変倍率は、仮想論理ページ領域のサイズを１００％として指定される。仮想論理ページ領域とは、原稿ページを、Ｎ−ｕｐ等の指定に応じて配置した場合に、１原稿ページが占める領域である。
【００６４】
例えば、１×１であれば、仮想論理ページ領域は１印刷ページに相当する領域となり、１×２であれば、１印刷ページの各辺を約７０パーセントに縮小した領域となる。
【００６５】
ブック、章、ページについて共通な属性としては、ウォータマーク属性及びヘッダ・フッタ属性がある。ここで、ウォータマークとは、アプリケーションで作成されたデータに重ねて印刷される、別途指定される画像や文字列などである。ヘッダ・フッタは、それぞれ各ページの上余白及び下余白に印刷されるウォータマークである。
【００６６】
但し、ヘッダ・フッタには、ページ番号や日時など変数により指定可能な項目が用意されている。尚、ウォータマーク属性およびヘッダ・フッタ属性において指定可能な内容は、章とページとは共通であるが、ブックはそれらと異なっている。ブックにおいてはウォータマークやヘッダ・フッタの内容を設定できるし、また、ブック全体を通してどのようにウォータマークやヘッダ・フッタを印刷するかを指定することができる。一方、章やページでは、その章やページにおいて、ブックで設定されたウォータマークやヘッダ・フッタを印刷するか否かを指定できる。
【００６７】
＜ブックファイルの生成手順＞
ブックファイルは上述したような構造及び内容を有している。次に、製本アプリケーション１０４及び電子原稿ライタ１０２によるブックファイルの作成手順について説明する。ブックファイルの作成手順は、製本アプリケーション１０４によるブックファイルの編集操作の一環として実現される。
【００６８】
図７は、本発明に係る情報処理装置における第１のデータ処理手順の一例を示すフローチャートであり、図１に示した製本アプリケーション１０４によりブックファイルを開く際の手順に対応する。なお、Ｓ７０１〜Ｓ７０４は各ステップを示す。
【００６９】
まず、製本アプリケーション１０４が開こうとするブックファイルが、新規作成すべきものであるか、それとも既存のものであるか判定し（Ｓ７０１）、新規作成すべきものであると判断した場合は、章を含まないブックファイルを新規に作成して（Ｓ７０２）、ステップＳ７０４へ進む。
【００７０】
なお、新規に作成されるブックファイルは、図３の例で示せば、ブック属性３０１のみ有し、章のノードに対するリンクが存在しないブックのノードとなる。ブック属性は、新規作成用としてあらかじめ用意された属性のセットが適用される。そして、新規ブックファイルを編集するための電子原稿ユーザインタフェース（ＵＩ）画面を表示して（ステップＳ７０４）、処理を終了する。
【００７１】
図８は、図２に示したＣＲＴ２１０上に表示される電子原稿ユーザインタフェース（ＵＩ）画面中における新規にブックファイルが作成された際のＵＩ画面の一例を示す図である。この場合は、ブックファイルは実質的な内容を持たないため、ＵＩ画面１１００には何も表示されない。
【００７２】
一方、ステップＳ７０１で、既存のブックファイルがあると判断した場合は、指定されたブックファイルを開き（Ｓ７０３）、そのブックファイルの構造、属性、内容に従ってユーザインタフェース（ＵＩ）画面を表示する。
【００７３】
図９は、図２に示したＣＲＴ２１０上に表示される電子原稿ユーザインタフェース（ＵＩ）画面中におけるファイル一覧画面の一例を示す図であり、既存のブックファイルから指定されたブックファイルを表示するＵＩ画面例である。
【００７４】
図９において、ＵＩ画面１１００は、ブックの構造を示すツリー部１１０１と、印刷された状態を表示するプレビュー部１１０２とを含む。ツリー部１１０１には、ブックに含まれる章、各章に含まれるページが、例えば図３の（Ａ）のような木構造で表示される。ツリー部１１０１に表示されるページは原稿ページである。またプレビュー部１１０２には、印刷ページの内容が縮小されて表示される。その表示順序はブックの構造を反映したものとなっている。
【００７５】
さて、開かれたブックファイルには、電子原稿ライタ１０２によって電子原稿ファイルに変換されたアプリケーションデータを、新たな章として追加することができる。この機能を電子原稿インポート機能と呼ぶ。
【００７６】
図７に示す手順によって新規に作成されたブックファイルに電子原稿インポートすることで、そのブックファイルには実体が与えられる。
【００７７】
本実施形態において、この機能は、図９に示す一覧画面にアプリケーションデータをドラッグアンドドロップ操作することで起動される。
【００７８】
図１０は、本発明に係る情報処理装置における第２のデータ処理手順の一例を示すフローチャートであり、電子原稿インポートの手順に対応する。なお、Ｓ８０１〜Ｓ８０４は各ステップを示す。
【００７９】
まず、指定されたアプリケーションデータを生成したアプリケーションプログラムを起動し、デバイスドライバとして電子原稿ライタ１０２を指定してアプリケーションデータを印刷出力させることで、電子原稿データに変換する（Ｓ８０１）。
【００８０】
そして、変換を終えたなら、変換されたデータが画像データであるか否かを判定する（Ｓ８０２）。なお、この判定は、ウインドウズ（登録商標）ＯＳの下であれば、アプリケーションデータのファイル拡張子に基づいて行われる。
【００８１】
例えば、拡張子が「ｂｍｐ」であればウインドウズ（登録商標）ビットマップデータであり、「ｊｐｇ」であればｊｐｅｇ圧縮された画像データ、「ｔｉｆｆ」であればｔｉｆｆ形式の画像データであると判定できる。
【００８２】
また、このような画像データの場合はステップＳ８０１のようにアプリケーションを起動せずに、画像データから直接電子原稿ファイルを生成することが可能であるため、ステップＳ８０１の処理を省略することも可能である。
【００８３】
そこで、ステップＳ８０２で、画像データでなかったと判断した場合には、ステップＳ８０１で生成された電子原稿ファイルを、現在開かれているブックファイルのブックに、新たな章として追加して（Ｓ８０３）、本処理を終了する。
【００８４】
なお、章属性としては、ブック属性と共通するものについてはブック属性の値がコピーされ、そうでないものについては、予め用意された規定値に設定される。
【００８５】
一方、ステップＳ８０２で画像データであると判断した場合には、原則として新たな章は追加されず、指定されている章に、ステップＳ８０１で生成された電子原稿ファイルに含まれる各原稿ページが追加され（Ｓ８０４）、処理を終了する。
【００８６】
但し、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるものについてはその値が与えられる。例えば、Ｎ−ｕｐ指定などがアプリケーションデータにおいて指定されていた場合には、その属性値が引き継がれる。このようにして、新規なブックファイルが作成され、あるいは、新規な章が追加される。
【００８７】
図１１は、本発明に係る情報処理装置における第３のデータ処理手順の一例を示すフローチャートであり、図１０に示すステップＳ８０１において、電子原稿ライタ１０２により電子原稿ファイルを生成させる手順に対応する。なお、Ｓ９０１〜Ｓ９０４は各ステップを示す。
【００８８】
まず、新たな電子原稿ファイルを作成してそれを開く（Ｓ９０１）。指定したアプリケーションデータに対応するアプリケーションを起動し、電子原稿ライタをデバイスドライバとしてＯＳの出力モジュールに対して出力コマンドを送信させる。出力モジュールは、受信した出力コマンドを電子原稿ライタ１０２によって電子原稿形式のデータに変換し、出力する（Ｓ９０２）。
【００８９】
そして、その出力先はステップＳ９０１で開いた電子原稿ファイルである。指定されたデータ全てについて変換が終了したか判定し（Ｓ９０３）、終了していないと判断した場合は、ステップＳ９０２へ戻り、終了していると判断した場合は、電子原稿ファイルを閉じて（Ｓ９０４）、本処理を終了する。
【００９０】
なお、電子原稿ライタ１０２によって生成される電子原稿ファイルは、図３の（Ｂ）に示される原稿データの実体を含むファイルである。
【００９１】
＜ブックファイルの編集＞
以上のようにして、アプリケーションデータからブックファイルを作成することができる。生成されたブックファイルについては、章及びページに対して次のような編集操作、すなわち（１）新規追加、（２）削除、（３）コピー、（４）切り取り、（５）貼り付け、（６）移動、（７）章名称変更、（８）ページ番号名称振り直し、（９）表紙挿入、（１０）合紙挿入、（１１）インデックス紙挿入、（１２）各原稿ページに対するページレイアウトが可能である。
【００９２】
このほか、一旦行った編集操作を取り消す操作や、更に取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などの編集操作が可能となる。
【００９３】
これらの操作を行うと、図４，図５に示す属性に操作結果が反映されたり、あるいはブックファイルの構造に反映される。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００９４】
＜ブックファイルの出力＞
以上のように作成・編集されるブックファイルは、印刷出力を最終目的とするものである。ここで、利用者が、図９に示した製本アプリケーションのＵＩ画面１１００からファイルメニューを選択し、そこから印刷を選択すると、指定した出力デバイスにより印刷出力される。この際、まず製本アプリケーション１０４は、現在開かれているブックファイルからジョブチケットを作成し、そのジョブチケットを電子原稿デスプーラ１０５に渡す。一方、電子原稿デスプーラ１０５は、ジョブチケットをＯＳの出力コマンド、例えばウインドウズ（登録商標）のＧＤＩ関数に変換し、それを出力モジュール、例えばＧＤＩに送信する。出力モジュールは、指定されたプリンタドライバ１０６によってデバイスに適したコマンドを生成し、そのデバイスに送信する。
【００９５】
ここで、ジョブチケットは原稿ページを最小単位とする構造を有するデータである。ジョブチケットにおける構造は、用紙上における原稿ページのレイアウトを定義している。ジョブチケットは１ジョブにつき１つ発行される。
【００９６】
そのため、まず最上位にドキュメントというノードがあり、文書全体の属性、例えば両面印刷／片面印刷などが定義されている。その下には、用紙ノードが属し、用いるべき用紙の識別子やプリンタにおける給紙口の指定などの属性が含まれる。各用紙ノードには、その用紙で印刷されるシートのノードが属する。１シートは１枚の用紙に相当する。
【００９７】
各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００９８】
電子原稿デスプーラ１０５は、上述のジョブチケットを、出力モジュールへの出力コマンドに変換する。
【００９９】
＜そのほかのシステム構成＞
本実施形態の文書処理システムの概要は以上のようなものである。これはスタンドアロン型のシステムであるが、これを拡張したサーバクライアントシステムでもほぼ同様の構成・手順でブックファイルを作成・編集できる。但し、ブックファイルや印刷処理はサーバによって管理される。
【０１００】
〔第２実施形態〕
図１２は、本発明の第２実施形態を示す情報処理装置を適用可能なサーバクライアント型文書処理システムの構成を示すブロック図であり、本クライアント文書処理システムは、図１に示したスタンドアロン型システムの構成に加えて、クライアントモジュールであるＤＯＭＳ（Ｄｏｃｕｍｅｎｔ  Ｏｕｔｐｕｔ  Ｍａｎａｇｅｍｅｎｔ  Ｓｅｒｖｉｃｅ：文書出力管理サービス）ドライバ１０９及びＤＯＭＳプリントサービスモジュール１１０、ＤＳ（文書サービス）クライアントモジュール１０８を備えた構成を有する。
【０１０１】
このクライアント文書処理システム１２００に文書管理サーバ１２０１、印刷集中管理サーバ１２０２及びプリントサーバ１２０３が接続されている。これらサーバは、通常ネットワークによってクライアント文書処理システムと接続されるが、サーバが同時にクライアントとしても機能する場合には、ネットワーク間の通信をシミュレートするプロセス間通信によって接続される。
【０１０２】
なお、図１２に示す例では、文書管理サーバ１２０１と印刷集中管理サーバ１２０２の両方のサーバがクライアントＰＣに接続されているが、何れか一方のみネットワーク上に存在する場合もあり得る。例えば、接続されているサーバが文書管理サーバであれば、そのクライアントモジュールを含む文書管理サーバクライアントシステム１２０１ＳＣが、また印刷集中管理サーバ１２０２であれば、そのクライアントモジュールを含む印刷管理サーバクライアントシステム１２０２ＳＣが、スタンドアロン型文書管理システムに追加される。
【０１０３】
文書管理サーバ１２０１は、製本アプリケーション１０４により作成・編集されたブックファイルを格納するサーバである。文書管理サーバ１２０１によってブックファイルを管理する場合、ブックファイルはクライアントＰＣのローカルＨＤに代わって、あるいはそれに加えて、文書管理サーバ１２０１のデータベース（ＤＢ）１２１１に保存される。製本アプリケーション１０４と文書管理サーバ１２０１との間のブックファイルの保存及び読み出しは、ＤＳクライアント１０８及びＤＳコア１２１２を介して行われる。
【０１０４】
印刷集中管理サーバ１２０２は、クライアント文書管理システム１２００に格納された、あるいは文書管理サーバ１２０１に格納されたブックファイルの印刷を管理するサーバである。
【０１０５】
クライアントＰＣにおける印刷要求は、ＤＯＭＳドライバ１０９およびＤＯＭＳプリントサービスモジュール１１０を介して印刷集中管理サーバ１２０２のＤＯＭＳＷＧサーバモジュール１２２１に送信される。集中印刷管理サーバ１２０２は、クライアントＰＣ１２００のプリンタで印刷する場合には、クライアントＰＣのＤＯＭＳプリントサービスモジュール１１０を介して電子原稿デスプーラ１０５に電子原稿データを渡し、プリントサーバ１２０３のプリンタ１２０４により印刷する場合には、プリントサーバ１２０３のＤＯＭＳプリントサービスモジュール１２３１に送信する。
【０１０６】
集中印刷管理サーバ１２０２は、例えば保存されているブックファイルに対して印刷要求を発行した利用者の資格などについてセキュリティチェックを行ったり、印刷処理のログを保存したりする。このように、文書処理システムは、スタンドアロンとしても、クライアントサーバシステムとしても実現できる。
【０１０７】
＜プレビュー表示の内容＞
既に説明した通り、ブックファイルが製本アプリケーションによって開かれると、図９に示したユーザインタフェース画面１１００が表示される。
【０１０８】
ツリー部１１０１には、開いているブック（以下、「注目ブック」と呼ぶ）の構造を示すツリーが表示される。プレビュー部１１０２には、利用者の指定に応じて、３通りの表示方法が用意されている。
【０１０９】
まず、第１は原稿ページをそのまま表示する原稿ビューと呼ばれるモードである。この原稿ビューモードでは、注目ブックに属する原稿ページの内容が縮小されて表示される。尚、プレビュー部１１０２の表示にレイアウトは反映されない。
【０１１０】
次に、第２は印刷ビューモードである。この印刷ビューモードでは、プレビュー部１１０２には原稿ページのレイアウトが反映された形で原稿ページが表示される。
【０１１１】
そして、第３は簡易印刷ビューモードである。この簡易印刷ビューモードでは、各原稿ページの内容はプレビュー部の表示には反映されず、レイアウトのみが反映される。
【０１１２】
＜ステイプル制御＞
次に、ステイプル機能を有するプリンタと接続するコンピュータ１００の製本アプリケーション１０４によって行われるステイプル制御について説明する。
【０１１３】
図１３は、本発明の情報処理装置を適用可能なステイプル制御システムの構成を示すブロック図であり、本ステイプル制御システムは、図２に示したホストコンピュータ１００とステイプル機能を有するプリンタ１０７とで構成される。
【０１１４】
以下、プリンタ１０７の構成について説明する。尚、本発明の機能が実現されるのであれば、単体の機器であっても、複数の機器からなるシステムであっても、ＬＡＮ，ＷＡＮ等のネットワークを介して接続がなされ、処理が行われるシステムであっても本発明を適用できる。
【０１１５】
図示するように、プリンタ１０７において、１３０１はプリンタＣＰＵであり、ＲＯＭ１３０２内のプログラム用ＲＯＭに記憶された制御プログラム等や外部メモリ１３０３に記憶された制御プログラム等に基づいてシステムバス１３０４に接続される印刷部Ｉ／Ｆ１３０５を介して、印刷部（プリンタエンジン）１３０６に出力情報としての画像信号を出力する。
【０１１６】
また、このＲＯＭ１３０２内のプログラム用ＲＯＭには、ＣＰＵ１３０１の制御プログラム等が記憶され、ＲＯＭ１３０２内のフォント用ＲＯＭには、出力情報を生成する際に使用するフォントデータ等が記憶され、ＲＯＭ１３０２内のデータ用ＲＯＭには、ハードディスク等の外部メモリ１３０３がないプリンタの場合、ホストコンピュータ１００上で利用される情報等が記憶されている。
【０１１７】
また、ＣＰＵ１３０１は、入力部１３０７を介してホストコンピュータ１００との通信処理が可能となっており、プリンタ１０７内の情報等をホストコンピュータ１００に通知できる。ＲＡＭ１３０８は、ＣＰＵ１３０１の主メモリや、ワークエリア等として機能するＲＡＭであり、図示しない増設ポートに接続されるオプションＲＡＭによりメモリ容量を拡張することができるように構成されている。
【０１１８】
なお、ＲＡＭ１３０８は、出力情報展開領域、環境データ格納領域、ＮＶＲＡＭ等に用いられる。上述したハードディスク（ＨＤ）、ＩＣカード等の外部メモリ１３０３は、メモリコントローラ（ＭＣ）１３０９によりアクセスを制御される。外部メモリ１３０３は、オプションとして接続され、フォントデータ、エミュレーションプログラム、フォームデータ等を記憶する。また、操作パネル１３１１は操作のためのスイッチ及びＬＥＤ表示器等で構成されている。
【０１１９】
また、上述の外部メモリ１３０３は１個に限らず、複数個備えられ、内蔵フォントに加えてオプションカード、言語系の異なるプリンタ制御言語を解釈するプログラムを格納した外部メモリを複数接続できるように構成されていても良い。更に、図示しないＮＶＲＡＭを有し、操作パネル１３１１からのプリンタモード設定情報を記憶するようにしても良い。
【０１２０】
＜ブックファイル編集機能＞
製本アプリケーション１０４にて生成されたブックファイルに対して、文章・画像の編集を行うことを可能とする原稿エディタを備える。前記原稿エディタは、製本アプリケーションから起動し、ブックファイルを論理ページ毎に編集することが可能である。
【０１２１】
図１４は、本発明に係る情報処理装置における原稿エディタを起動するＵＩの一例を示す図である。
【０１２２】
図１４において、１４０１は製本アプリケーションのタイトルバー、１４０２はインポートされた原稿ファイルである。１４０３は前記原稿ファイル選択時のポップアップメニューである。１４０４はマウスポインタを示している。
【０１２３】
原稿エディタの起動は、インポートされた原稿ファイルをマウスポインタで選択し、ポップアップメニューを表示させ、メニュー内の"原稿エディタ"を選択することで実行される。
【０１２４】
ここではポップアップメニューからの起動であったが、その他（たとえばツールボタン、メニューアイテム）を利用した起動方法であっても良い。
【０１２５】
図１５は、本発明に係る情報処理装置における第４のデータ処理手順の一例を示すフローチャートであり、原稿エディタ起動処理手順に対応する。なお、Ｓ１５０１〜Ｓ１５０３は各ステップを示す。
【０１２６】
まず、製本アプリケーション１０４にて、選択された原稿ファイルに対してメニューを表示させる（Ｓ１５０１）。メニュー１４０３より"原稿エディタ"が選択されたことを認識する（Ｓ１５０２）。
【０１２７】
そして、原稿エディタを起動し（Ｓ１５０３）、図１６に示すようなメイン画面を表示したら、本処理を終了する。
【０１２８】
次に、本発明に係る情報処理装置における原稿エディタで行える編集機能について説明をする。
【０１２９】
図１６は、図２に示したＣＲＴ２１０に表示される原稿エディタの全体UIを説明する図である。
【０１３０】
図１６において、１６０１は原稿エディタのタイトルバー、１６０２はメニューバー、１６０３はツールボタン、１６０４はページ移動ボタン、１６０５はズーム指定ボックス、１６０６は編集対象の原稿ファイルである。
【０１３１】
１６０７はテキストオブジェクト、１６０８，１６０９は図形オブジェクト、１６１０は直線オブジェクトを示している。これらを元に各編集機能について説明を行う。
【０１３２】
〔テキスト編集機能〕
図１７は、図２に示したＣＲＴ２１０に表示される原稿エディタ上におけるテキストオブジェクトの選択処理を説明する図であり、図１６で示した原稿ファイル１６０６を詳細に示している。
【０１３３】
図１７において、１７０１はテキストオブジェクト、１７０２はオブジェクトのコントロールハンドル、１７０３はマウスポインタを示している。マウスポインタ１７０３で原稿ファイル内のテキスト上を選択すると、選択されたテキストがオブジェクトとしてマッチングされ、選択状態となる。選択状態になったオブジェクトには、コントロールハンドル１７０２が表示され、選択されたことをユーザに示す。
【０１３４】
この例では、コントロールハンドル１７０２が表示されたが、テキストオブジェクトの外接矩形を表示するようにしても良い。テキストオブジェクトは、選択して移動・削除・テキスト属性の変更・テキストの追加・削除などの操作を行うことができる。
【０１３５】
図１８は、本発明に係る情報処理装置における第５のデータ処理手順の一例を示すフローチャートであり、原稿エディタにおけるテキスト編集処理手順に対応する。なお、Ｓ１８０１〜Ｓ１８０６は各ステップを示す。
【０１３６】
まず、マウスポインタで選択された原稿ファイル内のテキストを、テキストオブジェクトとして抽出する（Ｓ１８０１）。抽出されたテキストオブジェクトに対して、テキストの追加、テキストの削除、テキスト属性の変更、テキストオブジェクトの移動・削除などの編集を施し（Ｓ１８０２〜Ｓ１８０６）、編集が終了したらステップＳ１８０２に戻る。
【０１３７】
図１９，図２０は、本発明に係る情報処理装置における原稿編集処理例を説明する模式図であり、図１９は、"日本語のテスト"のテストの前に"テスト"を追加の例を示し、図２０は、"日本語のテスト"の"テスト"を削除したときの例を示している。
【０１３８】
具体的には、図１７のテキストオブジェクト１７０１についてテキストの追加を行う場合。選択状態になっているテキストオブジェクトを再度マウスポインタ１９０３で選択すると、テキストオブジェクトが矩形１９０１で囲まれ、編集カーソル１９０２が表示される。テキストを追加する位置にカーソルを移動させ、文字を入力すると、テキストオブジェクトに入力した文字が追加される。
【０１３９】
図２０はテキスト削除の例を示している。図１７のテキストオブジェクト１７０１についてテキストの削除を行う。テキスト追加と同様の方法でテキストオブジェクトが矩形で囲まれ、編集カーソル２００１が表示されている状態にする。その状態で、バックスペースキーや削除を実行すると、編集カーソルの前の文字が削除される。
【０１４０】
なお、テキスト属性の編集について、各テキストオブジェクト内のテキストは属性を持っており、その属性についても編集することが可能である。テキスト属性には、フォント・スタイル・サイズ・色・文字装飾・文字間隔・水平スケーリング率・単語間隔などがある。それぞれの意味、設定方法については、公知であるため説明は省略する。
【０１４１】
〔テキストボックス編集機能〕
前述したテキストオブジェクトは１行に限定された編集であったが、原稿エディタは複数行のテキストを新規に作成する機能を有する。複数行のテキストを作成する際には、テキストボックスを用いる。
【０１４２】
図２１は、本発明に係る情報処理装置における原稿編集処理例を説明する模式図であり、テキストボックス作成の例を示している。以下、図２２に示す原稿編集処理を参照して複数行のテキストを作成する処理について説明する。
【０１４３】
図２１において、原稿ファイル１６０６上にテキストボックス作成モードで、マウスポインタ１９０３を用いて矩形を描画すると、テキストボックス２１０１が作成される。作成されたテキストボックスには、新規作成時およびボックスを選択時に、コントロールハンドル２１０２が表示される。コントロールハンドルをマウスポインタでドラッグすることにより、ボックスのリサイズが可能である。
【０１４４】
図２２は、本発明に係る情報処理装置における第６のデータ処理手順の一例を示すフローチャートであり、テキストボックス編集処理手順に対応する。なお、（Ｓ２２０１）〜（Ｓ２２０６）は各ステップを示す。
【０１４５】
まず、テキストボックス作成モードへ遷移し（Ｓ２２０１）、マウスドラッグの矩形でテキストボックスを生成する（Ｓ２２０２）。次に、作成したテキストボックスに対して、テキストオブジェクトの編集（この編集は前述した１行テキストの編集操作と同じ）、テキストボックス属性の編集、テキストボックスの移動・削除などのいずれかの編集を施し（Ｓ２２０３〜Ｓ２２０６）、編集が終了したら、ステップＳ２２０３へ戻る。
【０１４６】
図２３は、本発明に係る情報処理装置における原稿編集状態を説明する模式図であり、図２１示したテキストボックス２１０１内にテキストを追加する例を示している。
【０１４７】
そして、選択状態のテキストボックスを再度マウスポインタで選択すると、テキストオブジェクト編集の時と同様に、ボックス内に編集カーソルが表示される。その状態で、テキストを入力することにより、テキストボックスにテキストを追加することが可能である。
【０１４８】
また、テキストの削除についてもテキストオブジェクトの時と同様の方法で、行うことが可能である。
【０１４９】
なお、図２３はテキストボックス２１０１に"テキストボックステスト。複数行"というテキストを追加した例を示している。
【０１５０】
前述したとおり、テキストボックスは複数行のテキストをサポートする。右端までに収まらないテキスト２３０１は改行されて表示される。
【０１５１】
テキストボックス２１０１およびテキストボックス内のテキスト２３０１についてもテキストオブジェクトと同様に属性を編集することが可能である。テキストボックスの属性には、線種・線幅・線の色・塗りつぶし・不透明度などがある。テキストボックス内のテキストの属性は、手テキストオブジェクトと同様である。それぞれの意味、設定方法については、公知であるため説明は省略する。
【０１５２】
〔イメージ編集機能〕
次に、製本アプリケーション１０４の機能処理である原稿エディタにおけるイメージの編集機能について説明をする。
【０１５３】
図２４は、本発明に係る情報処理装置における原稿編集画面の編集対象を選択するメニューの一例を示す図であり、イメージの挿入モードへ遷移するためのUI例に対応し、本実施形態では、イメージの編集機能には、"イメージの挿入"と"イメージの書き出し"がある。以下、イメージの挿入について説明をする。
【０１５４】
図２４において、２４０１は原稿エディタのタイトルバー、２４０２はメニュー、２４０３はイメージ挿入モードメニューを示している。原稿エディタのメニュー２４０２のバーより、「イメージ挿入」が選択されると、図示しないイメージの挿入ダイアログが表示される。イメージ挿入ダイアログで挿入するイメージファイルを選択することで、原稿上にイメージオブジェクトとして挿入する。
【０１５５】
図２５，図２６は、図２に示したＣＲＴ２１０上に表示される原稿編集画面の一例を示す図であり、図２４に示したメニューからイメージ挿入が選択された場合の状態に対応し、図２５は挿入状態で、図２６は、図２６の編集画面で挿入されたイメージを回転した状態に対応する。
【０１５６】
図２５はイメージが挿入された例を示し、前述した方法でイメージを挿入すると、原稿ファイル１６０６にイメージ２５０１が挿入される。イメージの挿入される位置については、原稿ファイルの中心となる。
【０１５７】
ただし、位置については、中心に限定せずに原稿ファイルの左上基準、左下基準などユーザビリティを考慮して変更できるようにしても良い。また、挿入の方法についても、メニューからの挿入だけでなく、ツールボタンなどで行えるようにしても良い。
【０１５８】
また、挿入したイメージ、もしくは原稿ファイルに配置されたイメージオブジェクトに対しては、回転、移動・削除と言った編集を行うことができる。
【０１５９】
図２６はイメージを回転した例を示し、２６０１はイメージを時計回りに９０度回転されたものを示している。移動・削除については、公知であるため説明は省略する。
【０１６０】
図２７は、本発明に係る情報処理装置における第７のデータ処理手順の一例を示すフローチャートであり、イメージ編集処理手順（回転・移動・削除処理）に対応する。なお、（Ｓ２７０１）〜（Ｓ２７０５）は各ステップを示す。
【０１６１】
まず、イメージ挿入モードに遷移し、図示しないイメージ選択ダイアログをＣＲＴ２１０上に表示する（Ｓ２７０１）。そして、表示されたダイアログで選択されたイメージを、例えば記憶装置から読み出してエディタ画面上に表示する（Ｓ２７０２）。
【０１６２】
そして、ＣＲＴ２１０上の編集表示されたイメージに対して、編集指示があるか否かを判断して（Ｓ２７０３）、編集指示あると判断した場合には、挿入されたイメージに回転編集を施すか（Ｓ２７０３）、または挿入されたイメージに移動・削除などを行い（Ｓ２７０５）、編集が終了したら、ステップＳ２７０３へ戻る。
【０１６３】
次にイメージの書き出しについて説明する。
【０１６４】
図２８は、図２に示したＣＲＴ２１０上に表示される原稿編集画面の一例を示す図であり、イメージの書き出し編集画面に対応する。
【０１６５】
図２８において、書き出すイメージを選択し、ポップアップメニュー２８０１をＣＲＴ２１０上に表示させ、イメージの書き出しを指定すると、図示しないイメージの書き出しダイアログをＣＲＴ２１０上に表示する。表示したダイアログ内で設定した書き出し場所・イメージファイル名を適用させイメージの書き出しを行う。
【０１６６】
図２９は、本発明に係る情報処理装置における第８のデータ処理手順の一例を示すフローチャートであり、イメージの書き出し処理手順（回転・移動・削除処理）に対応する。なお、（Ｓ２９０１）〜（Ｓ２９０４）は各ステップを示す。また、各ステップは、図１に示す製本アプリケーション１０４の原稿エディタにより実行されることで実現される。
【０１６７】
まず、書き出す対象のイメージを選択することにより抽出する（Ｓ２９０１）。次に、ポップアップメニューなどからイメージ書き出しダイアログを表示させる（Ｓ２９０２）。そして、書き出し先（場所）や書き出すイメージのファイル名などを入力して、入力を確定してもよい（ＯＫ）かどうかを判別して（Ｓ２９０３）、確定しないと判別した場合には、本処理を終了する。
【０１６８】
一方、ステップ（Ｓ２９０３）で、確定してもよいと判別した場合には、入力を確定して指定された場所にイメージを保存して（Ｓ２９０４）、本処理を終了する。
【０１６９】
〔オブジェクト編集機能〕
次に、原稿エディタにおけるオブジェクトの編集機能について説明をする。
【０１７０】
オブジェクトの種類には、四角形・楕円・角丸四角形・直線・オートシェイプ・その他任意図形が存在する。それらのオブジェクトの新規作成および編集を行うことが可能である。原稿ファイルの描画されているオブジェクトに対しても選択すること、および編集を加えることができる。新規作成、および編集操作については、移動・削除や各属性（色・線種など）の変更など公知の技術であるため、個々の説明は省略する。
【０１７１】
図３０，図３１は、図２に示したＣＲＴ２１０上に表示される原稿編集画面の一例を示す図であり、楕円オブジェクトの新規作成モードに遷移するためのUI例であり、図３１は、編集画面上に楕円オブジェクトが作成された状態に対応する。
【０１７２】
図３０において、３００１は原稿エディタのタイトルバー、３００２はメニュー、３００３は楕円作成モード遷移メニューを示している。
【０１７３】
ユーザが楕円作成モード遷移メニュー３００３を選択し、原稿エディタ上でマウス矩形を描画することで楕円オブジェクトを作成することができ、該作成された楕円オブジェクト３１０１は、選択状態になるとコントロールハンドル３１０２を編集画面上で表示し、楕円オブジェクトが選択されたことをユーザに認識させる。
【０１７４】
図３２は、本発明に係る情報処理装置における第９のデータ処理手順の一例を示すフローチャートであり、楕円オブジェクトの編集処理手順に対応する。なお、（Ｓ３２０１）〜（Ｓ３２０５）は各ステップを示す。また、各ステップは、図１に示す製本アプリケーション１０４の原稿エディタにより実行されることで実現される。
【０１７５】
まず、図３０に示したメニューの選択操作に基づいて、オブジェクト作成フローに遷移し（Ｓ３２０１）、マウスドラッグで描画された矩形により、オブジェクトを作成する（Ｓ３２０２）。
【０１７６】
そして、オブジェクトの編集が指示されているかどうかを原稿エディタが判別して（Ｓ３２０３）、オブジェクトの編集が指示されていると判別した場合には、その指示内容に基づいて、属性の編集や移動・削除などの編集を行い（Ｓ３２０４）、あるいはオブジェクト移動・削除を行い（Ｓ３２０５）、ステップ（Ｓ３２０３）へ戻る。
【０１７７】
そして、ステップ（Ｓ３２０３）で、編集が終了していると判別した場合には、本処理を終了する。
【０１７８】
次に、楕円の新規作成編集処理について説明をする。
【０１７９】
図３３は、本発明に係る情報処理装置における第１０のデータ処理手順の一例を示すフローチャートであり、イメージオブジェクトの置き換え手順に対応する。なお、（Ｓ３３０１）〜（Ｓ３３０４）は各ステップを示す。また、各ステップは、図１に示す製本アプリケーション１０４の原稿エディタにより実行されることで実現される。
【０１８０】
まず、マウスなどで選択された原稿エディタ内のイメージオブジェクトを、置き換えを行うイメージオブジェクトとして認識する（Ｓ３３０１）。次に、認識したイメージオブジェクトよりメニューをＣＲＴ２１０上に表示し、例えば"イメージの置換"が選択されたことを認識し、例えば図３４に示すイメージの置換ダイアログをＣＲＴ２１０上に表示する（Ｓ３３０２）。
【０１８１】
図３４は、図２に示したＣＲＴ２１０に表示されるイメージ置換ダイアログの一例を示す図である。
【０１８２】
図３４において、３７０１はイメージ置換ダイアログのタイトルバー、３７０２イメージファイル一覧ボックス、３７０３は置換イメージファイル指定ボックスを示している。"イメージ置換"メニューを選択するとイメージ置換ダイアログが表示され、置換後のイメージファイルをイメージファイル一覧から選択して、置換後のイメージファイルを指定する。
【０１８３】
そして、置換ダイアログ中より選択したイメージオブジェクト（ファイル名「飛行機．ｂｍｐ」を、前記イメージの置換ダイアログにて指定したイメージファイルで置き換える（Ｓ３３０３）。この処理については、後で詳細に説明をする。
【０１８４】
そして、最後に前記ステップで決定された置き換えを行うイメージオブジェクトの位置・サイズで、イメージオブジェクトをＣＲＴ２１０上に表示して（Ｓ３３０４）、本処理を終了する。
【０１８５】
図３５は、本発明に係る情報処理装置における第１１のデータ処理手順の一例を示すフローチャートであり、図３３に示したステップＳ３３０３のイメージファイルの置き換え処理の詳細手順（イメージファイルの置き換えを実行する際に、置き換え後のイメージファイルの位置を決定する手順）に対応する。なお、（Ｓ３４０１）〜（Ｓ３４０４）は各ステップを示す。また、各ステップは、図１に示す製本アプリケーション１０４の原稿エディタにより実行されることで実現される。
【０１８６】
まず、置換対象として選択されたイメージオブジェクトの位置情報を取得する（Ｓ３４０１）。ここで指している位置情報とは、イメージオブジェクトの原稿ページ上における位置であり、原稿ページで設定されている座標情報を取得することになる。また、取得する位置座標は、イメージオブジェクトの左上・左下・右上・右下・中心などである。
【０１８７】
次に、取得した位置座標を元に、置換を実行する際の基準点の設定を行う（Ｓ３４０２）。なお、基準点の設定については、システム内で規定値として中心、あるいは左上などとして設定されていても良い。また、ユーザに左上・左下・右上・右下・中心などの選択肢の中から任意に設定できるものとしても良い。
【０１８８】
そして、設定された基準点を基準とし、前述したステップ（Ｓ３３０２）のイメージの置換ダイアログで指定されたイメージオブジェクトの表示位置を設定する（Ｓ３４０３）。ここまでのステップで置き換え後のイメージオブジェクトの表示位置が設定される、位置が設定された後に、表示サイズを指定して（Ｓ３４０４）、本処理を終了する。これにより、図３３で示したステップＳ３３０４で決定された位置・サイズで表示を行いイメージオブジェクトの置き換え処理が終了する。
【０１８９】
図３６は、本発明に係る情報処理装置における第１２のデータ処理手順の一例を示すフローチャートであり、図３５に示したステップＳ３４０４の表示サイズ指定処理の詳細手順に対応する。なお、（Ｓ３５０１）〜（Ｓ３５０８）は各ステップを示す。また、各ステップは、図１に示す製本アプリケーション１０４の原稿エディタにより実行されることで実現される。
【０１９０】
まず、置き換え対象として選択されたイメージオブジェクトのサイズを、置き換え後に継承するを選択しているかどうかを判別する（Ｓ３５０１）。
【０１９１】
なお、この選択は、ユーザに対してダイアログなどを用いて任意に選択させる方式でも良いし、システム内で制御していても良い。
【０１９２】
ステップ（Ｓ３５０１）で、イメージオブジェクトのサイズを、置き換え後に継承しないを選択していると判別した場合には、まず、前述したイメージの置換ダイアログにて指定したイメージファイルの実サイズを、置き換え後の表示サイズとして設定する（Ｓ３５０２）。
【０１９３】
次に、その設定されたサイズと表示を実行する原稿ページのページサイズ、および前述した位置設定フローにて設定された基準点を元に、置き換え後のイメージオブジェクトがページ外にはみでるかどうかを判断して（Ｓ３５０３）、もしページ外にはみ出ていると判断された場合は、ページ内にイメージオブジェクトが表示できるように、イメージオブジェクトのサイズを縮小して（Ｓ３５０４）、ステップ（Ｓ３５０８）へ進み、縮小されたサイズをイメージオブジェクの表示サイズを設定して、本処理を終了する。
【０１９４】
なお、縮小の方法については、ページ内の表示できる範囲にまで縮小をする。それ以上に過剰に縮小することはしない。
【０１９５】
一方、ステップ（Ｓ３５０３）で、ページ外にはみ出ていないと判断した場合は、実サイズをイメージオブジェクトの表示サイズとして設定された状態で、サイズ指定処理は、終了する。
【０１９６】
一方、ステップＳ３５０１で、置き換え対象として選択されたイメージオブジェクトのサイズを、置き換え後に継承するを選択していると判別した場合には、まず、置き換え対象として選択されたイメージオブジェクトのサイズを抽出する（Ｓ３５０５）。このサイズとは、原稿ページ上に表示されているイメージオブジェクトのサイズを示しており、原稿エディタ上でリサイズなどの操作が行われていると、イメージオブジェクトの実サイズとは異なっている可能性もある。
【０１９７】
そして、置き換えるイメージオブジェクトとして指定したイメージファイルの実サイズを抽出する（Ｓ３５０６）。
【０１９８】
次に、実サイズがステップ（Ｓ３５０５）で抽出したサイズより大きかったら、指定したイメージオブジェクトの表示サイズを縮小して抽出したサイズと等しくなるようにする。また、逆に、抽出したサイズより小さかったら、指定したイメージオブジェクトの表示サイズを拡大して抽出したサイズと等しくなるようにする（Ｓ３５０７）。
【０１９９】
ここで、置き換え前のイメージオブジェクトのサイズと、置き換え後のイメージオブジェクトのサイズについて縦横比が等しい場合は、置き換え後のイメージオブジェクトの表示サイズを元の表示サイズと等しくすることが可能であるが、異なっていた場合は、縦横比を維持したまま等しくすることができない。
【０２００】
その場合は、縦もしくは横どちらか一方が、置き換え前のイメージオブジェクトのサイズに等しくなった時点で拡大縮小処理を終了し、縦横比が維持されることを優先させる。
【０２０１】
最後に、拡大縮小されたサイズを置き換え後のイメージオブジェクトの表示サイズとして設定して（Ｓ３５０８）、本処理を終了する。
【０２０２】
そして、表示サイズが設定された後は、前述した位置設定フローにて設定した表示位置で置き換え後のイメージオブジェクトをＣＲＴ２１０上に表示して、イメージ置き換え処理が終了となる。
【０２０３】
図３７は、本発明に係る情報処理装置におけるイメージ置換編集画面例を示す図である。
【０２０４】
図３７において、３６０１は原稿ページ、３６０２はイメージオブジェクト、３６０３はイメージ置換メニューを示している。
【０２０５】
原稿ページ３６０１上に描画されているイメージオブジェクト３６０２をマウスポインタなどで選択をして、ポップアップメニューとしてイメージ置換メニュー３６０３をＣＲＴ２１０上に表示させる。
【０２０６】
ポップアップメニュー内にある"イメージ置換"メニューを選択することによって、イメージオブジェクトの置き換え処理を実行することができる。
【０２０７】
この例では、ポップアップメニューより選択しているが、ツールボタンや、メニューバーなどから選択するようにしても良い。
【０２０８】
図３８は、本発明に係る情報処理装置におけるイメージ置換編集画面例を示す図であり、置換後の原稿編集ページを示している。
【０２０９】
図３８において、３８０１は置換されたイメージオブジェクトを示している。イメージの置換が実行されると、置換対象として選択したイメージオブジェクト（飛行機（ヘリコプタ））は原稿ページ上から削除され、置換後のイメージファイルとして指定したイメージオブジェクト（飛行機１（ジャンボジェット））が置き換えられて表示される。
【０２１０】
このときに、前述したイメージオブジェクトの位置設定手順やサイズ設定手順を用いて、設定された位置・サイズが適用されてイメージオブジェクトの表示が実行される。
【０２１１】
上記実施形態によれば、イメージオブジェクトの差し替えを１ステップの操作で実行することを可能にし、さらに差し替え前と差し替え後のイメージオブジェクトの位置を継承することが可能となる。また、差し替え前と差し替え後のイメージオブジェクトのサイズもユーザに負担がないように自動的に制御されて差し替えが実行されるようになる。
【０２１２】
なお、図１に示した製本アプリケーション１０４は、イメージ置換された電子原稿に対して、印刷装置の製品機能処理に基づく製本機能指定を付加し、電子原稿デスプーラ１０５がプリンタドライバ１０６にプリンタ１０７が印刷可能な印刷情報を変換し、プリンタ１０７で電子原稿が印刷される。
【０２１３】
〔第２実施形態〕
以下、図３９に示すメモリマップを参照して本発明に係る印刷装置で読み取り可能なデータ処理プログラムの構成について説明する。
【０２１４】
図３９は、本発明に係る印刷装置で読み取り可能な各種データ処理プログラムを格納する記憶媒体のメモリマップを説明する図である。
【０２１５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２１６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０２１７】
本実施形態における図７，図１０，図１１，図１５，図１８，図２２，図２７，図２９，図３２，図３３，図３５，図３６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０２１８】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０２１９】
この場合、記憶媒体から読み出されたプログラムコード自体が本発明の新規な機能を実現することになり、そのプログラムコードを記憶した記憶媒体は本発明を構成することになる。
【０２２０】
従って、プログラムの機能を有していれば、オブジェクトコード、インタプリタにより実行されるプログラム、ＯＳに供給するスクリプトデータ等、プログラムの形態を問わない。
【０２２１】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０２２２】
この場合、記憶媒体から読出されたプログラムコード自体が前述した実施形態の機能を実現することになり、そのプログラムコードを記憶した記憶媒体は本発明を構成することになる。
【０２２３】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０２２４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０２２５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２２６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２２７】
本発明は上記実施形態に限定されるものではなく、本発明の趣旨に基づき種々の変形（各実施形態の有機的な組合せを含む）が可能であり、それらを本発明の範囲から排除するものではない。
【０２２８】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１０について説明する。
【０２２９】
なお、上記実施形態において、イメージオブジェクトは、スキャナ入力されるイメージデータ、撮影されるイメージデータ等を含むものとする。
【０２３０】
〔実施態様１〕
イメージオブジェクトのページと電子データのページとを組み合わせてブック属性に従う電子原稿を作成可能な情報処理装置（図１に示すホストコンピュータ１００）であって、前記イメージオブジェクトを記憶する記憶手段（図２に示すハードディスク２１１）と、前記電子原稿に挿入されているイメージオブジェクトを差し替えるイメージオブジェクトを前記記憶手段に記憶されているイメージオブジェクト群から指定する指定手段（図２に示すキーボード２０９や図示しないポインティングデバイスを操作して、図３４に示すファイルリスト等より指定する）と、前記電子原稿に挿入されているイメージオブジェクトのレイアウト情報を、前記指定手段により指定される差し替えイメージオブジェクトのレイアウト情報に承継させて差し替え挿入する原稿編集手段（図１に示す製本アプリケーション１０４の原稿編集機能に基づく、図３３に示すステップ（Ｓ３３０１）〜（Ｓ３３０４））とを有することを特徴とする情報処理装置。
【０２３１】
これにより、簡単な少ない操作指示で、電子原稿に挿入済みのイメージオブジェクトのレイアウト情報に合致するように差し替え指示されているイメージオブジェクトを違和感なく差し替え編集できる利便性と操作性に優れた電子原稿編集処理を効率よく行える。
【０２３２】
〔実施態様２〕
イメージオブジェクトは、スキャナ入力されるイメージデータ、撮影されるイメージデータ等を含むことを特徴とする実施態様１記載の情報処理装置。
【０２３３】
これにより、スキャナ入力されるイメージデータやデジタルカメラから入力されるイメージデータを電子原稿に差し替え挿入した電子原稿編集を行える。
【０２３４】
〔実施態様３〕
前記原稿編集手段により編集されたページに対して印刷装置で設定可能な印刷製本機能を指示する指示手段（図１に示す製本アプリケーション１０４）と、前記指示手段により指示される印刷製本機能設定が付加される印刷情報を前記印刷装置に出力する出力手段（図１に示す電子原稿デスプーラ１０５，プリンタドライバ１０６）とを有することを特徴とする実施態様１記載の情報処理装置。
【０２３５】
これにより、編集したテキストやイメージ等がレイアウトされた電子原稿を印刷装置の製本機能に応じた印刷情報を自在に生成することができる。
【０２３６】
〔実施態様４〕
前記原稿編集手段により承継されるレイアウト情報は、イメージオブジェクトの位置、イメージオブジェクトのサイズを含むことを特徴とする実施態様１記載の情報処理装置。
【０２３７】
これにより、差し替えるイメージオブジェクトに対するイメージオブジェクトの位置、イメージオブジェクトのサイズの指定操作が大幅に簡素化され、ユーザは差し替えるべくイメージオブジェクトを指定するだけで、差し替え前のイメージオブジェクトに指定されていた描画位置、描画サイズが反映された編集結果を容易に得ることができる。
【０２３８】
〔実施態様５〕
イメージオブジェクトを記憶する記憶手段を備え、前記イメージオブジェクトのページと電子データのページとを組み合わせてブック属性に従う電子原稿を作成可能な情報処理装置における原稿編集方法であって、前記電子原稿に挿入されているイメージオブジェクトを差し替えるイメージオブジェクトを前記記憶手段に記憶されているイメージオブジェクト群から指定する指定ステップ（図３３に示すステップ（Ｓ３３０１）、（Ｓ３３０２））と、前記電子原稿に挿入されているイメージオブジェクトのレイアウト情報を、前記指定手段に指定される差し替えイメージオブジェクトのレイアウト情報に承継させて差し替え挿入する原稿編集ステップ（図３３に示すステップ（Ｓ３３０３）、（Ｓ３３０４））とを有することを特徴とする原稿編集方法。
【０２３９】
これにより、実施形態１と同等の効果が期待できる。
【０２４０】
〔実施態様６〕
イメージオブジェクトは、スキャナ入力されるイメージデータ、撮影されるイメージデータ等を含むことを特徴とする実施態様５記載の原稿編集方法。
【０２４１】
これにより、実施形態２と同等の効果が期待できる。
【０２４２】
〔実施態様７〕
前記原稿編集ステップにより編集されたページに対して印刷装置で設定可能な印刷製本機能を指示する指示ステップ（図示しない）と、前記指示ステップにより指示される印刷製本機能設定が付加される印刷情報を前記印刷装置に出力する出力ステップ（図示しない）とを有することを特徴とする実施態様５記載の原稿編集方法。
【０２４３】
これにより、実施形態３と同等の効果が期待できる。
【０２４４】
〔実施態様８〕
前記原稿編集ステップにより承継されるレイアウト情報は、イメージオブジェクトの位置、イメージオブジェクトのサイズを含むことを特徴とする請求項５記載の原稿編集方法。
【０２４５】
これにより、実施形態４と同等の効果が期待できる。
【０２４６】
〔実施態様９〕
実施態様５〜８のいずれかに記載の原稿編集方法を実行させるためのプログラムを格納したことを特徴とするコンピュータが読み取り可能な記憶媒体。
【０２４７】
これにより、実施形態５〜８と同等の効果が期待できる。
【０２４８】
〔実施態様１０〕
実施態様５〜８のいずれかに記載の原稿編集方法を実行させることを特徴とするプログラム。
【０２４９】
これにより、実施形態５〜８と同等の効果が期待できる。
【図面の簡単な説明】
【０２５０】
【図１】本発明の第１実施形態を示す情報処理装置を適用可能な文書処理システムのソフトウエア構成を示す図である。
【図２】図１に示したコンピュータのハードウェア構成の一例を説明するブロック図である。
【図３】本発明に係る情報処理装置で処理可能なブックファイルの形式を模式的に説明する図である。
【図４】図３に示したブック属性のリスト例を示す図である。
【図５】図３に示した章属性のリスト例を示す図である。
【図６】図３に示したページ属性のリスト例を示す図である。
【図７】本発明に係る情報処理装置における第１のデータ処理手順の一例を示すフローチャートである。
【図８】図２に示したＣＲＴ上に表示される電子原稿ユーザインタフェース（ＵＩ）画面中における新規にブックファイルが作成された際のＵＩ画面の一例を示す図である。
【図９】図２に示したＣＲＴ上に表示される電子原稿ユーザインタフェース（ＵＩ）画面中におけるファイル一覧画面の一例を示す図である。
【図１０】本発明に係る情報処理装置における第２のデータ処理手順の一例を示すフローチャートである。
【図１１】本発明に係る情報処理装置における第３のデータ処理手順の一例を示すフローチャートである。
【図１２】本発明の第２実施形態を示す情報処理装置を適用可能なサーバクライアント型文書処理システムの構成を示すブロック図である。
【図１３】本発明の情報処理装置を適用可能なステイプル制御システムの構成を示すブロック図である。
【図１４】本発明に係る情報処理装置における原稿エディタを起動するＵＩの一例を示す図である。
【図１５】本発明に係る情報処理装置における第４のデータ処理手順の一例を示すフローチャートである。
【図１６】図２に示したＣＲＴに表示される原稿エディタの全体UIを説明する図である。
【図１７】図２に示したＣＲＴに表示される原稿エディタ上におけるテキストオブジェクトの選択処理を説明する図である。
【図１８】本発明に係る情報処理装置における第５のデータ処理手順の一例を示すフローチャートである。
【図１９】本発明に係る情報処理装置における原稿編集処理例を説明する模式図である。
【図２０】本発明に係る情報処理装置における原稿編集処理例を説明する模式図である。
【図２１】本発明に係る情報処理装置における原稿編集処理例を説明する模式図である。
【図２２】本発明に係る情報処理装置における第６のデータ処理手順の一例を示すフローチャートである。
【図２３】本発明に係る情報処理装置における原稿編集状態を説明する模式図である。
【図２４】本発明に係る情報処理装置における原稿編集画面の編集対象を選択するメニューの一例を示す図である。
【図２５】図２に示したＣＲＴ上に表示される原稿編集画面の一例を示す図である。
【図２６】図２に示したＣＲＴ上に表示される原稿編集画面の一例を示す図である。
【図２７】本発明に係る情報処理装置における第７のデータ処理手順の一例を示すフローチャートである。
【図２８】図２に示したＣＲＴ上に表示される原稿編集画面の一例を示す図である。
【図２９】本発明に係る情報処理装置における第８のデータ処理手順の一例を示すフローチャートである。
【図３０】図２に示したＣＲＴ上に表示される原稿編集画面の一例を示す図である。
【図３１】図２に示したＣＲＴ上に表示される原稿編集画面の一例を示す図である。
【図３２】本発明に係る情報処理装置における第９のデータ処理手順の一例を示すフローチャートである。
【図３３】本発明に係る情報処理装置における第１０のデータ処理手順の一例を示すフローチャートである。
【図３４】図２に示したＣＲＴに表示されるイメージ置換ダイアログの一例を示す図である。
【図３５】本発明に係る情報処理装置における第１１のデータ処理手順の一例を示すフローチャートである。
【図３６】本発明に係る情報処理装置における第１２のデータ処理手順の一例を示すフローチャートである。
【図３７】本発明に係る情報処理装置におけるイメージ置換編集画面例を示す図である。
【図３８】本発明に係る情報処理装置におけるイメージ置換編集画面例を示す図である。
【図３９】本発明に係る情報処理装置で読み取り可能な各種データ処理プログラムを格納する記憶媒体のメモリマップを説明する図である。
【符号の説明】
【０２５１】
１００  コンピュータ装置
１０１  一般アプリケーション
１０２  電子原稿ライタ
１０３  電子原稿ファイル
１０４  製本アプリケーション
１０５  電子原稿デスプーラ
１０６  プリンタドライバ
１０７  プリンタ
【図１】
2006107038.tif 000003
【図２】
2006107038.tif 000004
【図３】
2006107038.tif 000005
【図４】
2006107038.tif 000006
【図５】
2006107038.tif 000007
【図６】
2006107038.tif 000008
【図７】
2006107038.tif 000009
【図８】
2006107038.tif 000010
【図９】
2006107038.tif 000011
【図１０】
2006107038.tif 000012
【図１１】
2006107038.tif 000013
【図１２】
2006107038.tif 000014
【図１３】
2006107038.tif 000015
【図１４】
2006107038.tif 000016
【図１５】
2006107038.tif 000017
【図１６】
2006107038.tif 000018
【図１７】
2006107038.tif 000019
【図１８】
2006107038.tif 000020
【図１９】
2006107038.tif 000021
【図２０】
2006107038.tif 000022
【図２１】
2006107038.tif 000023
【図２２】
2006107038.tif 000024
【図２３】
2006107038.tif 000025
【図２４】
2006107038.tif 000026
【図２５】
2006107038.tif 000027
【図２６】
2006107038.tif 000028
【図２７】
2006107038.tif 000029
【図２８】
2006107038.tif 000030
【図２９】
2006107038.tif 000031
【図３０】
2006107038.tif 000032
【図３１】
2006107038.tif 000033
【図３２】
2006107038.tif 000034
【図３３】
2006107038.tif 000035
【図３４】
2006107038.tif 000036
【図３５】
2006107038.tif 000037
【図３６】
2006107038.tif 000038
【図３７】
2006107038.tif 000039
【図３８】
2006107038.tif 000040
【図３９】
2006107038.tif 000041